(57)【要約】【課題】関連するボタンスイッチ構造においては、表示装置などの操作対象装置の外観形状を阻害することなく、簡易な構成で操作対象装置の表示領域を最大化することが困難である。【解決手段】本発明のスイッチボタン構造は、スイッチ部と、スイッチ部を押圧する操作ボタン部を有し、操作ボタン部は、キートップ部と、スイッチ部と当接するスイッチ押下部と、キートップ部とスイッチ押下部とを連結するボタン支持部、とを備え、ボタン支持部を底部とする溝形状である。【選択図】      図２
2014099277.tif 000002
【特許請求の範囲】
【請求項１】
スイッチ部と、前記スイッチ部を押圧する操作ボタン部を有し、
前記操作ボタン部は、
キートップ部と、
前記スイッチ部と当接するスイッチ押下部と、
前記キートップ部と前記スイッチ押下部とを連結するボタン支持部、とを備え、
前記ボタン支持部を底部とする溝形状である
ボタンスイッチ構造。
【請求項２】
前記スイッチ部は、表示部を備えた操作対象装置を制御する機能を有し、
前記操作ボタン部は、前記表示部の端部を収容する溝形状である
請求項１に記載したボタンスイッチ構造。
【請求項３】
前記操作ボタン部は、前記ボタン支持部の側壁に設けられた凸状の摺動部を有し、前記摺動部に沿って前記スイッチ部に向かう方向に可動である
請求項１または２に記載したボタンスイッチ構造。
【請求項４】
前記操作ボタン部は、前記ボタン支持部の底面に設けられ、前記スイッチ部に向けて延伸する凹状のレール溝を有する
請求項１から３のいずれか一項に記載したボタンスイッチ構造。
【請求項５】
前記キートップ部は、操作ボタンと、前記操作ボタンを装着する前面板部を有し、
前記前面板部は、回転機構を備える請求項１または２に記載したボタンスイッチ構造。
【請求項６】
表示部と、ボタンスイッチ構造と、筐体を有し、
前記ボタンスイッチ構造は、スイッチ部と前記スイッチ部を押圧する操作ボタン部を有し、
前記操作ボタン部は、
キートップ部と、
前記スイッチ部と当接するスイッチ押下部と、
前記キートップ部と前記スイッチ押下部とを連結するボタン支持部、とを備え、
前記ボタン支持部を底部とし、前記表示部の端部を収容する溝形状である
ボタンスイッチ構造を用いた表示装置。
【請求項７】
前記操作ボタン部は、前記ボタン支持部の側壁に設けられた凸状の摺動部を有し、前記摺動部に沿って前記スイッチ部に向かう方向に可動であり、
前記筐体は、前記摺動部を部分的に収容するガイドレールを有する
請求項６に記載したボタンスイッチ構造を用いた表示装置。
【請求項８】
前記操作ボタン部は、前記ボタン支持部の底面に設けられ、前記スイッチ部に向けて延伸する凹状のレール溝を有し、
前記筐体は、前記レール溝と嵌合する凸状のレールを有する
請求項６または７に記載した表示装置。
【請求項９】
前記ボタン操作部の前記キートップ部は、操作ボタンと、前記操作ボタンを装着する前面板部を有し、
前記前面板部は、回転軸を備え、
前記筐体は、前記回転軸と嵌合する軸受を有する
請求項６に記載したボタンスイッチ構造を用いた表示装置。
【請求項１０】
前記筐体は、前記スイッチ部を搭載するスイッチ基板と、前記スイッチ基板に搭載されたＬＥＤ素子を有し、
前記スイッチ押下部は、前記ＬＥＤ素子の発光する光を透過する入光部を備える
請求項６から９のいずれか一項に記載したボタンスイッチ構造を用いた表示装置。
【発明の詳細な説明】
【技術分野】
【０００１】
本発明は、ボタンスイッチ構造およびそれを用いた表示装置に関し、特に、操作対象物と同一面に配置されるボタンスイッチ構造およびそれを用いた表示装置に関する。
【背景技術】
【０００２】
車載するナビゲーション装置などの、操作対象物である画面ユニットと操作ボタンが同一面に配置される装置では、ユーザの操作性や視認性を向上させて商品性を高める必要がある。そのため、限られた筐体サイズの中で画面サイズを大きくすることが求められている。
【０００３】
画面サイズを最大にするために、操作ボタンを含むボタンスイッチを画面ユニットの前部に重ねて配置する構成が一般に用いられている。
【０００４】
しかしながら、この方法では、画面ユニットの前部にボタンスイッチが配置されるため、操作ボタンが画面ユニットの前方に大きく飛び出し外観を損ねるという課題がある。このとき、操作ボタンの飛び出しを抑えるためにボタンスイッチのスイッチ部にフレキシブル基板やシートキーを使用する方法があるが、操作ボタンの操作性が低下したり、部品が高価であるため製造コストが増大するという課題がある。また、スイッチ部が画面ユニットの前部に配置される構造では、操作ボタンの操作部から侵入する静電気がスイッチ部におよぼす影響を低減するため、操作部とスイッチ部との間に一定の空間距離を確保する必要がある。そのため、操作ボタンの外観形状はさらに飛び出した形状になってしまう、という課題がある。
【０００５】
このような課題を解決する技術の一例が特許文献１に記載されている。特許文献１に記載されたプラズマディスプレイ装置では、パネルの下部に奥行方向に摺動可能な電源ボタンが配設され、パネルの背部には電源のＯＮ−ＯＦＦを行うプッシュ式の電源スイッチが電源ボタンの操作ストローク方向に対して直角方向の操作ストロークを有するように配置されている。さらに、この電源スイッチと電源ボタンとの間には、一端が電源ボタンの一端に当接するとともに他端が電源スイッチの操作レバーに当接する回動レバーが、軸により回動可能に軸支されて配設されている。このように構成したボタンスイッチ構造により、ユーザが押す電源ボタンの操作ストローク方向に対して、電源スイッチの操作ストローク方向を９０°の位置に配置することが可能となる。これにより、回路上の電源スイッチとして特に小型のものを使用することなく、セットの奥行寸法を薄くすることができる、としている。
【先行技術文献】
【特許文献】
【０００６】
【特許文献１】特開２００４−７１３４４号公報
【発明の概要】
【発明が解決しようとする課題】
【０００７】
しかしながら、特許文献１に記載されたボタンスイッチ構造では、電源ボタンがパネルの下部に配置されている。そのため、従来と同じ画面サイズを保とうとすると、筐体サイズが大きくなってしまう。一方、車載に用いる場合など、設置場所の高さに制限がある場合には画面サイズを小さくせざるを得ない、という課題があった。
【０００８】
また、特許文献１に記載されたボタンスイッチ構造は回動レバーが必要であるため、構成が複雑になってしまう、という問題もあった。
【０００９】
このように、関連するボタンスイッチ構造においては、表示装置などの操作対象装置の外観形状を阻害することなく、簡易な構成で操作対象装置の表示領域を最大化することが困難である、という課題があった。
【００１０】
本発明の目的は、上述した、簡易な構成で表示装置などの操作対象装置の外観形状を阻害することなく、操作対象装置の表示領域を最大化することが困難である、という課題を解決するスイッチボタン構造およびそれを用いた表示装置を提供することにある。
【課題を解決するための手段】
【００１１】
本発明のスイッチボタン構造は、スイッチ部と、スイッチ部を押圧する操作ボタン部を有し、操作ボタン部は、キートップ部と、スイッチ部と当接するスイッチ押下部と、キートップ部とスイッチ押下部とを連結するボタン支持部、とを備え、ボタン支持部を底部とする溝形状である。
【００１２】
本発明の表示装置は、表示部とボタンスイッチ構造と筐体を有し、ボタンスイッチ構造は、スイッチ部とスイッチ部を押圧する操作ボタン部を有し、操作ボタン部は、キートップ部と、スイッチ部と当接するスイッチ押下部と、キートップ部とスイッチ押下部とを連結するボタン支持部、とを備え、ボタン支持部を底部とし、表示部の端部を収容する溝形状である。
【発明の効果】
【００１３】
本発明のスイッチボタン構造およびそれを用いた表示装置によれば、表示装置などの操作対象装置の外観形状を阻害することなく、簡易な構成で操作対象装置の表示領域を最大化することができる。
【図面の簡単な説明】
【００１４】
【図１】本発明の第１の実施形態に係るボタンスイッチ構造の構成を示す断面図である。
【図２】本発明の第２の実施形態に係るボタンスイッチ構造を用いた表示装置の構成を示す（ａ）正面図、（ｂ）側面断面図である。
【図３】本発明の第２の実施形態に係るボタンスイッチ構造を用いた表示装置の構成を示す（ａ）斜視図、（ｂ）分解斜視図、（ｃ）部分斜視図である。
【図４】本発明の第２の実施形態に係るボタンスイッチ構造の動作を説明するための部分斜視図である。
【図５】本発明の第３の実施形態に係るボタンスイッチ構造を用いた表示装置の（ａ）構成を示す側面断面図、（ｂ）動作を説明するための側面断面図である。
【図６】発明の第３の実施形態に係るボタンスイッチ構造を用いた表示装置の別の構成を示す断面図である。
【図７】本発明の第４の実施形態に係るボタンスイッチ構造の構成を示す（ａ）側面断面図、（ｂ）部分斜視図である。
【図８】本発明の第５の実施形態に係るボタンスイッチ構造を用いた表示装置の構成を示す（ａ）斜視図、（ｂ）断面図である。
【図９】関連するボタンスイッチ構造を用いた表示装置の構成を示す（ａ）斜視図、（ｂ）断面図である。
【発明を実施するための形態】
【００１５】
以下に、図面を参照しながら、本発明の実施形態について説明する。
（第１の実施形態）
図１は、本発明の第１の実施形態に係るボタンスイッチ構造の構成を示す断面図である。本実施形態のボタン構造１００は、スイッチ部１０とスイッチ部１０を押圧する操作ボタン部２０を有する。操作ボタン部２０は、キートップ部２１と、スイッチ部１０と当接するスイッチ押下部２２と、キートップ部２１とスイッチ押下部２２とを連結するボタン支持部２３とを備える。ここで操作ボタン部２０は、キートップ部２１とスイッチ押下部２２が対向し、ボタン支持部２３を底部とする溝形状である。
【００１６】
また、スイッチ部１０は表示部を備えた操作対象装置を制御する機能を有し、操作ボタン部２０は表示部３０の端部を収容することが可能な溝形状である。
【００１７】
本実施形態によるスイッチボタン構造は、ボタン支持部２３を介してキートップ部２１とスイッチ部１０とを連結する構成としているので、表示部３０から突出する部分はキートップ部２１だけとなる。しかも、操作ボタン部２０が溝形状であることから表示部の端部を収容することができる。このように本実施形態のスイッチボタン構造によれいば、表示装置などの操作対象装置の外観形状を阻害することなく、簡易な構成で操作対象装置の表示領域を最大化することができる。
（第２の実施形態）
図２は、本発明の第２の実施形態に係るボタンスイッチ構造を用いた表示装置の構成を示す（ａ）正面図、（ｂ）側面断面図である。図２（ａ）に示すように、本実施形態の表示装置２００は表示部３０とボタンスイッチ構造１００と筐体４０を有する。図２（ａ）のＡＡ´線断面図である図２（ｂ）に示すように、ボタンスイッチ構造１００はスイッチ部１０とスイッチ部１０を押圧する操作ボタン部２０を有する。操作ボタン部２０は、キートップ部２１と、スイッチ部１０と当接するスイッチ押下部２２と、キートップ部２１とスイッチ押下部２２とを連結するボタン支持部２３とを備える。ここで、操作ボタン部２０は、ボタン支持部２３を底部とし、表示部３０の端部を収容する溝形状である。
【００１８】
以下では具体的に、表示装置２００としてナビゲーション装置を例に挙げて構成を説明する。図３に、本発明の第２の実施形態に係るボタンスイッチ構造を用いた表示装置の構成を示す。図３（ａ）は斜視図、（ｂ）は分解斜視図、（ｃ）は部分斜視図である。
【００１９】
ナビゲーション装置２０１は図３（ａ）に示すように、地図などを表示する表示部３０と操作を行うためのボタンスイッチ構造１００を有する操作パネルユニット４１とナビゲーション機能の制御を行う基板を格納する本体ユニット４２を備える。
【００２０】
操作パネルユニット４１には、図３（ｂ）に示すように、操作パネル４３の内部にタッチパネル３１とＬＣＤ（Ｌｉｑｕｉｄ  Ｃｒｙｓｔａｌ  Ｄｉｓｐｌａｙ：液晶パネル）３２からなる表示エリアを最大化した表示部３０と、ボタンスイッチ構造１００を構成する操作ボタン部２０が組み込まれる。さらに、操作ボタン部２０の過剰な押し込みを防止するためのストッパー機能を有するホルダ５０を組み込む構成としてもよい。
【００２１】
本体ユニット４２には、図３（ｂ）に示すように、操作ボタン部２０で押下するスイッチ部１０を搭載したスイッチ基板１１が組み込まれている。スイッチ基板１１が本体ケース４４に固定されて本体ユニット４２を構成し、本体ユニット４２は表示部３０の背面側に配置される。図示していないが、本体ケース４４はナビゲーション装置としての機能を制御するための各種基板が組み込まれる。
【００２２】
ここで、操作ボタン部２０について図３（ｃ）を用いて詳細に説明する。操作ボタン部２０は、ユーザ操作によって押下されるキートップ部２１と、スイッチ部１０を押下するためのスイッチ押下部２２と、キートップ部２１で受けたユーザのボタン操作による変位をスイッチ押下部２２へ伝達するためのボタン支持部２３で形成される。ボタン支持部２３はキートップ部２１とスイッチ押下部２２の底部を連結する構成とすることができるので、このボタン支持部２３の上部に表示部３０を配置することで、表示部３０のサイズを大きくすることが可能となる。なお、通常用いられる操作パネルユニット４１ではタッチパネル３１から出ているフレキケーブルを、ＬＣＤ３２の背面まで通すために表示部３０と操作パネル４３との間には数ｍｍの隙間が存在している。そこで、ボタン支持部２３をこの隙間に配置する構成とすることもできる。
【００２３】
なお、図３（ｃ）に示すように、操作ボタン部２０は、ボタン支持部２３の側壁に設けられた凸状の摺動部２４を有し、摺動部２４に沿ってスイッチ部１０に向かう方向に可動である構成とすることができる。また、操作ボタン部２０は、ボタン支持部２３の底面に設けられ、スイッチ部１０に向けて延伸する凹状のレール溝２５を有する構成としてもよい。なお、レース溝２５は、数設けてもよい。
【００２４】
このとき、操作パネル４３は図４に示す様に、摺動部２４を覆うように設けられたガイドレール４５と、レール溝２５と嵌合する凸状のレール４６を有する構成とすればよい。
【００２５】
次に、図４を用いて、本発明のスイッチボタン構造１００の動作について説明する。図４は、本発明の第２の実施形態に係るボタンスイッチ構造の動作を説明するための部分斜視図である。
【００２６】
図４に示すように、操作ボタン部２０は、操作パネル４３に形成したガイドレール４５で上下方向を規制され前後に摺動させるための摺動部２４と、操作パネル４３に形成したレール４６で左右方向を規制され前後に摺動させるためのレール溝２５を備える。操作ボタン部２０の摺動部２４とレール溝２５を操作パネル４３のガイドレール４５とレール４６に沿って挿し込むことにより、摺動方向が前後方向のみに規制された状態となり、摺動部２４とレール溝２５に沿ってスイッチ部１０に向かう方向にのみ可動となる。
【００２７】
そして図２に示すように、キートップ部２１とスイッチ押下部２２の間で、かつ、レール溝２５と嵌合するレール４６の上部に表示部３０を配置する。このとき、ボタン支持部２３は、表示部３０と操作パネル４３の間にもともと存在する隙間に形成することができるので、表示部３０として表示エリアが最大のユニットを選定することができる。
【００２８】
また、操作パネル４３のガイドレール４５をボタン支持部２３より高い位置に形成し、ガイドレール４５と表示部３０が当接する構成としてもよい。このような構成とすることで、操作ボタン部２０が表示部３０と接触することを回避でき、ユーザのボタン操作に伴う操作ボタン部２０の摺動が表示部３０によって阻害されることがなくなる。
【００２９】
なお、操作ボタン部２０のスイッチ押下部２２は、スイッチ部１０にプリテンションが掛かる位置に配置すればよい。
【００３０】
以上により、キートップ部２１がユーザによって押下されると、ボタン支持部２３を通じてスイッチ押下部２２がスイッチ部１０を押すことになる。これにより、操作ボタンスイッチとして機能するスイッチボタン構造１００が構成される。
【００３１】
なお、図２に示すように、キートップ部２１とボタン支持部２３との連結部２６、及び、ボタン支持部２３とスイッチ押下部２２との連結部２７の２箇所に、スイッチの押下力（一般的には１〜２Ｎ程度）に耐えられる補強構造を設ける構成としてもよい。これにより、ボタン支持部２３の厚さを薄くした場合でも部品強度を維持でき、ユーザのボタン操作時の押下げ力による破損を防ぐことができる。もしくは、ボタン支持部２３を構成する材料自体を十分に強度の高い材料にすることとしてもよく、また、その両方を行うこととしてもよい。
【００３２】
以上述べたように、本実施形態のスイッチボタン構造およびそれを用いた表示装置によれば、スイッチ部１０およびスイッチ基板１１を表示部３０の背面側に配置できるようになる。そのため、表示部３０の前面側には必要なボタン構造だけを最小化して設けることができる。従って、操作パネル外観における操作部の突出を最小限に抑えることができ、操作パネルの外観としてフラットな面を提供することができる。このとき、スイッチ基板１１がユーザ操作部（キートップ部２１近傍）から物理的に距離が離れることになるため、ユーザから放出される静電気に対してもスイッチ基板１１が影響を受けにくくなるという効果を得られる。
【００３３】
すなわち、本実施形態のスイッチボタン構造およびそれを用いた表示装置によれば、表示装置などの操作対象装置の外観形状を阻害することなく、簡易な構成で操作対象装置の表示領域を最大化することができる。
【００３４】
なお、本実施形態では、スイッチ部１０とボタン操作部２０を複数設けた例を示したが、スイッチ部１０とボタン操作部２０の個数に制限はない。
（第３の実施形態）
図５に、本発明の第３の実施形態に係るボタンスイッチ構造を用いた表示装置を示す。図５（ａ）はその表示装置の構成を示す断面図、（ｂ）はその表示装置の動作を説明するための側面断面図である。図５（ａ）に示すように、本実施形態の表示装置３００は表示部３０とボタンスイッチ構造４００と筐体を有する。ボタンスイッチ構造４００はスイッチ部４１０とスイッチ部４１０を押圧する操作ボタン部４２０を有する。操作ボタン部４２０は、キートップ部４２１と、スイッチ部４１０と当接するスイッチ押下部４２２と、キートップ部４２１とスイッチ押下部４２２とを連結するボタン支持部４２３、とを備える。ここで、操作ボタン部４２０はボタン支持部４２３を底部とする溝形状であり、表示部３０の端部を収容する。さらに、キートップ部４２１は、操作ボタン４２６と、操作ボタン４２６を装着する前面板部４２７を有し、前面板部４２７は回転機構４２８を備えている。第２の実施形態とは、キートップ部の構成が異なり、ボタンスイッチ構造がスイッチ部方向へ摺動するためのレール構造の代わりに回転機構４２８を備える点が異なる。
【００３５】
図５（ａ）と（ｂ）を用いて、回転機構４２８の構成及び動作について詳細に説明する。前面板部４２７の上部に回転軸４２９を設け、筐体を構成する操作パネル３４３に回転軸４２９を嵌合させる軸受３４７を設ける。回転軸４２９と軸受３４７を嵌合させ、操作ボタン部４２０を操作パネル３４３に固定する。第２の実施形態と同様に、操作ボタン部４２０のボタン支持部４２３を底部とする溝形状部に表示部３０を配置し、その背面にスイッチ基板３１１を固定する。このような構成とすることにより、操作ボタン４２６が押下げられると、回転軸４２９を中心として操作ボタン部４２０が変位する。これにより、スイッチ押下部４２２がスイッチ部４１０を押下げることができる。
【００３６】
このように本実施形態によれば、第２の実施形態で述べたレール構造を有するボタンスイッチ構造と同等な操作ボタンスイッチの機能を有するスイッチボタン構造を構成することができる。したがって、本実施形態のボタンスイッチ構造およびそれを用いた表示装置によれば、摺動部とガイドレール、および、レールとレール溝を設ける必要がない。そのため、表示装置などの操作対象装置の外観形状を阻害することなく、より簡易な構成で操作対象装置の表示領域を最大化することができる。
【００３７】
また、図６に示すように、キートップ部４２１の前面板部４２７とボタン支持部４２３を別部材として形成し、回転軸４３０で連結する構成としてもよい。図６は、本発明の第３の実施形態に係るボタンスイッチ構造を用いた表示装置の別の構成を示す断面図である。このような構成とすることにより、ユーザがキートップ部４２１を押下したとき、操作ボタン部４２０が回転軸４３０を介して滑らかに動作することが可能となるので、ユーザの操作感をさらに向上させることができる。
（第４の実施形態）
図７は、本発明の第４の実施形態に係るボタンスイッチ構造を示す（ａ）側面断面図、（ｂ）部分斜視図である。本実施形態のボタンスイッチ構造５００はスイッチ部５１０と、スイッチ部５１０を押圧する操作ボタン部５２０を有する。操作ボタン部５２０は、キートップ部５２１と、スイッチ部５１０と当接するスイッチ押下部５２２と、キートップ部５２１とスイッチ押下部５２２とを連結するボタン支持部５２３とを備える。ここで、操作ボタン部５２０は、ボタン支持部５２３を底部とする溝形状である。さらに、スイッチ部５１０の下方にＬＥＤ（Ｌｉｇｈｔ  Ｅｍｉｔｔｉｎｇ  Ｄｉｏｄｅ：発光ダイオード）１５を有する。第２の実施形態とは、ＬＥＤ１５を付加した点が異なる。このような構成としたことにより、操作ボタン部５２０のキートップ部５２１に描画されたキートップ文字を照光することができる。なお、ＬＥＤ１５はスイッチ部５１０とともにスイッチ基板５１１上に搭載した構成とすることができる。
【００３８】
照光機能を付加した操作ボタン部５２０は、操作ボタン部５２０の内部を光が透過できるよう透明な材料もしくは拡散剤入りの乳白色の材料で形成する。また、操作ボタン部５２０の表面全体には、内部を透過する光が外部へ漏れないように塗装を施しておくことが望ましい。但し、ＬＥＤ１５から操作ボタン部５２０の内部への光の入光部１４は光を透過させるため、透明性の塗装材料を用いるか、または塗装を施さない構成としてもよい。また、キートップ文字を照光させるため、キートップ文字部の塗装はレーザーエッチング等で剥がしておく。さらに、操作ボタン部５２０の摺動の妨げにならないように、摺動部５２４とレール溝５２５も塗装しないことが望ましい。
【００３９】
図７（ｂ）では、レール溝５２５がボタン支持部５２３の両端部に形成された場合を示す。しかし、レール溝５２５の位置はこれに限らず、照光の輝度を確保するため、キートップ文字とＬＥＤ１５の配置に基づいて光の導光の妨げにならない位置に配置すればよい。
【００４０】
ＬＥＤ１５とスイッチ部５１０を搭載したスイッチ基板５１１は、操作ボタン部５２０の背面側に、操作ボタン部５２０のボタン押下部５２２に設けられた入光部１４とＬＥＤ１５が対向するように配置する。このような構成とすることにより、ＬＥＤ１５から発せられた光が、操作ボタン部５２０の入光部１４から操作ボタン部５２０の中に入光し、光漏れをすることなく操作ボタンのキートップ部５２１まで導光され、キートップ文字を照光することが可能となる。
【００４１】
以上述べたように、本実施形態に係るボタンスイッチ構造を用いると、表示装置などの操作対象装置の外観形状を阻害することなく、簡易な構成で操作対象装置の表示領域を最大化することができる。さらに、本実施形態のスイッチボタン構造を用いた表示装置によれば、ナビゲーション装置等で一般的に採用される照光機能を簡易かつ安価な構成で付加することができる。
（第５の実施形態）
図８は、本発明の第５の実施形態に係るボタンスイッチ構造を用いた表示装置の構成を示す断面図である。図８（ａ）に示すように、本実施形態の表示装置６００は表示部３０とボタンスイッチ構造７００と筐体４０を有する。図８（ｂ）は表示装置６００の上面と平行方向で切断した断面図である。同図に示すように、ボタンスイッチ構造７００はスイッチ部７１０とスイッチ部７１０を押圧する操作ボタン部７２０を有する。操作ボタン部７２０は、キートップ部７２１と、スイッチ部７１０と当接するスイッチ押下部７２２と、キートップ部７２１とスイッチ押下部７２２とを連結するボタン支持部７２３とを備える。ここで、操作ボタン部７２０は、ボタン支持部７２３を底部とした溝形状であり、表示部３０の端部を収容している。第２の実施形態とは、ボタンスイッチ構造７００が表示部３０の下部でなく、左右に配置されている点が異なる。
【００４２】
表示部３０の左右にボタンスイッチ構造７００を配置する構成とした場合、図９に示した関連するボタンスイッチ構造では操作パネル外観の突出２１が大きいため、表示範囲Ｂに対して画面視野角Ｄが大幅に狭くなってしまう。そのため、画面全体を有効に活用するために、画面サイズを小さくして、外観形状における突出量の影響を低減できる表示装置を採用する必要があった。しかしながら、本実施形態のボタンスイッチ構造７００を用いると、操作パネル外観における突出量を最小に抑えることができるため、画面の表示範囲Ｂを最大範囲である図９と同様の画面サイズとした場合であっても、画面視野角Ｃを拡大することができ、製品品質として必要な角度まで広げることができる。
【００４３】
なお、上述の説明では、ボタン構造７００を表示部の左右に配置した場合について説明したが、これに限らず、ボタンスイッチ構造７００は表示部３０の周囲の任意の位置に配置することができる。
【００４４】
以上述べたように本実施形態に係るボタンスイッチ構造およびそれを用いた表示装置によれば、画面視野角の低減を招くことなく、ボタンスイッチ構造を表示部の周囲の所望の位置に配置することができる。
【００４５】
本発明は上記実施形態に限定されることなく、特許請求の範囲に記載した発明の範囲内で、種々の変形が可能であり、それらも本発明の範囲内に含まれるものであることはいうまでもない。
【符号の説明】
【００４６】
１０、４１０、５１０、７１０    スイッチ部
１１、３１１、５１１    スイッチ基板
１４    入光部
１５    ＬＥＤ
２０、４２０、５２０、７２０    操作ボタン部
２１、４２１、５２１、７２１    キートップ部
２２、４２２、５２２、７２２    スイッチ押下部
２３、４２３、５２３、７２３    ボタン支持部
２４、５２４    摺動部
２５、５２５    レール溝
２６、２７    連結部
３０    表示部
３１    タッチパネル
３２  ＬＣＤ
４０    筐体
４１    操作パネルユニット
４２    本体ユニット
４３、３４３    操作パネル
４４    本体ケース
４５    ガイドレール
４６    レール
５０    ホルダ
１００、４００、５００、７００    ボタンスイッチ構造
２００、３００、６００    表示装置
２０１    ナビゲーション装置
３４７    軸受
４２６    操作ボタン
４２７    前面板部
４２８    回転機構
４２９、４３０    回転軸
【図１】
2014099277.tif 000003
【図２】
2014099277.tif 000004
【図３】
2014099277.tif 000005
【図４】
2014099277.tif 000006
【図５】
2014099277.tif 000007
【図６】
2014099277.tif 000008
【図７】
2014099277.tif 000009
【図８】
2014099277.tif 000010
【図９】
2014099277.tif 000011